(57)【要約】      （修正有）【課題】引戸の閉まり際における出入り口の縦枠に対する急激な当たりを防止するとともに大きな衝撃音の発生を防止できるなど引戸の動きを緩衝するようにした引戸用緩衝装置を提供する。【解決手段】建物の出入り口を開閉するためにスライド自在に設けられた引戸１の緩衝装置であって、引戸１の戸先近傍上端に両方向性ロータリーダンパー６を取り付け、この両方向性ロータリーダンパー６の中央から水平に突出する回転軸７にＶ字状の爪部材８の下端を固定する。さらに、このＶ字状の爪部材８には正面から見て左右の上端に内側に折れ曲がった先端爪部９ａ，９ｂが形成され、出入り口の引戸の戸先が当たる縦枠５に近い位置での上枠４下面には前記先端爪部９ａ，９ｂに当接する当接部材１０が取り付けられる。【選択図】図４
0003166584.tif 000002
【実用新案登録請求の範囲】
【請求項１】
建物の出入り口を開閉するためにスライド自在に設けられた引戸の緩衝装置であって、引戸の上端または出入り口の水平方向に向く下枠にロータリーダンパーを取り付け、このロータリーダンパーの中央から水平に突出する回転軸にＶ字状の爪部材の下端を固定してあり、出入り口の上枠または引戸の下端にはＶ字状の爪部材の上端の先端部に当接する当接部材が取り付けられることを特徴とする引戸用緩衝装置。
【請求項２】
建物の出入り口を開閉するためにスライド自在に設けられた引戸の緩衝装置であって、引戸の下端または出入り口の水平方向に向く上枠にロータリーダンパーを取り付け、このロータリーダンパーの中央から水平に突出する回転軸に逆Ｖ字状の爪部材の上端を固定してあり、出入り口の下枠または引戸の上端には逆Ｖ字状の爪部材の下端の先端部に当接する当接部材が取り付けられることを特徴とする引戸用緩衝装置。
【請求項３】
爪部材の先端部には内側に折れ曲がった先端爪部が形成されていることを特徴とする請求項１または２に記載の引戸用緩衝装置。
【考案の詳細な説明】
【技術分野】
【０００１】
本考案は、例えば引戸の閉まり際における出入り口の縦枠に対する急激な当たりを緩和させる引戸用緩衝装置に関するものである。
【背景技術】
【０００２】
従来の引戸は例えば特許文献１に開示されているような自動的に開閉されるような装置により支持されているものが多く知られている。
【先行技術文献】
【特許文献】
【０００３】
【特許文献１】特開平５−２３１０６３号公報
【考案の概要】
【考案が解決しようとする課題】
【０００４】
上記特許文献１に開示されている自動開閉引戸装置はハンガーレールを傾斜させることによりその傾斜に沿って引戸を移動させるようになっているが、引戸を自動的に閉鎖させるような手段としてはばねを用いたものも知られている。
【０００５】
しかしながら、上記のような構成により引戸は自動的に閉鎖されることは明白であるが、このような装置の問題点として引戸の閉まり際における出入り口の縦枠に対する急激な当たりによる大きな衝撃音の発生が挙げられる。
【０００６】
本考案の目的は、このような課題を解決するものであり、例えば引戸の閉まり際における出入り口の縦枠に対する急激な当たりを防止するとともに大きな衝撃音の発生を防止できるなど引戸の動きを緩衝するようにした引戸用緩衝装置を提供することにある。
【課題を解決するための手段】
【０００７】
本考案の請求項１に記載の引戸用緩衝装置は、建物の出入り口を開閉するためにスライド自在に設けられた引戸の緩衝装置であって、引戸の上端または出入り口の水平方向に向く下枠にロータリーダンパーを取り付け、このロータリーダンパーの中央から水平に突出する回転軸にＶ字状の爪部材の下端を固定してあり、出入り口の上枠または引戸の下端にはＶ字状の爪部材の上端の先端部に当接する当接部材が取り付けられることを特徴とする。
【０００８】
請求項２に記載の引戸用緩衝装置は、建物の出入り口を開閉するためにスライド自在に設けられた引戸の緩衝装置であって、引戸の下端または出入り口の水平方向に向く上枠にロータリーダンパーを取り付け、このロータリーダンパーの中央から水平に突出する回転軸に逆Ｖ字状の爪部材の上端を固定してあり、出入り口の下枠または引戸の上端には逆Ｖ字状の爪部材の下端の先端部に当接する当接部材が取り付けられることを特徴とする。
【０００９】
請求項３に記載の引戸用緩衝装置は、爪部材の先端部には内側に折れ曲がった先端爪部が形成されていることを特徴とする。
【考案の効果】
【００１０】
以上のように、本考案の引戸用緩衝装置は、例えば引戸の戸先側に緩衝装置が設けられることにより、引戸の閉まり際においてロータリーダンパーに取り付けた爪部材の先端部が当接部材に当接することにより引戸が緩衝されることになり、引戸の閉まり際における出入り口の縦枠に対する急激な当たりを防止し、延いては大きな衝撃音の発生をも防止することができるなど、目的に応じて緩衝装置の取り付け位置を適宜選択できるようにした引戸用緩衝装置を提供することができる。
【図面の簡単な説明】
【００１１】
【図１】本考案の一実施の形態における引戸用緩衝装置を備えた引戸取り付け部の正面図である。
【図２】同引戸用緩衝装置取り付け部の拡大正面図である。
【図３】同引戸用緩衝装置取り付け部の拡大側面図である。
【図４】同引戸の閉まり際の状態を示す拡大正面図である。
【図５】同引戸の開き始めの状態を示す拡大正面図である。
【考案を実施するための形態】
【００１２】
以下、本考案の一実施の形態を、図１〜図５を用いて具体的に説明する。
図において、１は建物の出入り口２を開閉するためにスライド自在に設けられた引戸で、この引戸１の下端は出入り口２の水平方向に向く下枠３に、またこの引戸１の上端は出入り口２の水平方向に向く上枠４にスライド自在に支持されている。このような引戸１は引戸１を強く勢いよく閉めたときに戸先が出入り口２の縦枠５にぶつかって大きな衝撃音が発生し、特に上端にばねが内蔵された自動閉鎖装置（図示せず）が備わっているような引戸１にあってはばねの付勢力によって引戸１の戸先が出入り口２の縦枠５にぶつかって大きな衝撃音が発生するという現象が頻繁に発生する。そこで、本実施の形態では引戸１の戸先近傍上端に、内部にオイルが充填されオイルの流れの抵抗によりトルクがかかる両方向性ロータリーダンパー６が取り付けられ、この両方向性ロータリーダンパー６の中央から水平に突出する回転軸７にＶ字状の爪部材８の下端を固定してある。このＶ字状の爪部材８を正面から見て左右の上端には内側に折れ曲がった先端爪部９ａ，９ｂが形成されている。そして、この爪部材８が前記回転軸７の回りで傾くときトルクがかかるようになる。ところで、出入り口２の縦枠５に近い位置での上枠４下面には前記先端爪部９ａ，９ｂに当接する当接部材１０が取り付けられる。なお、前記両方向性ロータリーダンパー６は側面形状がほぼＬ型の取り付け金具１１の上下方向に向く板部１１ａにビス１２およびナット１３により取り付けられており、この取り付け金具１１をビス１４により引戸１の戸先近傍上端に固定している。この取り付け金具１１に取り付けられた両方向性ロータリーダンパー６とＶ字状の爪部材８は取り付け金具１１に取り付けられるカバー（図示せず）により覆われるようになっている。
【００１３】
上記構成において、正面から見て左側の先端爪部９ａが引戸１が開かれるときに当接部材１０に当接して爪部材８が図５に示すように左側に傾くように回転し、そのとき引戸１には両方向性ロータリーダンパー６により開かれる方向にブレーキがかかり、その後爪部材８が左側に傾いた状態で引戸１が開かれる。開かれた引戸１を閉じるときは爪部材８が左側に傾いたまま閉じられていくことになるのであるが、引戸１の戸先が出入り口２の縦枠５に近づくと正面から見て右側の立ち上がっている先端爪部９ｂが当接部材１０に当接して爪部材８が図４に示すように右側に傾くように回転し、そのとき引戸１には両方向性ロータリーダンパー６により閉じられる方向にブレーキがかかり、引戸１の戸先が出入り口２の縦枠５に急激に当たるのを防止できる。
【００１４】
ところで、本実施の形態では引戸１の戸先近傍上端に、Ｖ字状の爪部材８を備えた両方向性ロータリーダンパー６が取り付けられて引戸１が閉じられるときにおける縦枠５に対する戸先の急激な衝突を防止するようになっているが、引戸１の戸尻側にも同様にＶ字状の爪部材８を備えた両方向性ロータリーダンパー６と前記当接部材１０を設けて、引戸１が開かれるときにおける前記縦枠５に対向する縦枠１５に対する戸尻の急激な衝突を防止するようにしても良い。この場合、引戸１が開かれる際、出入り口２の縦枠５に近い位置での上枠４下面に設けた当接部材１０に当接して左側に傾いている爪部材８を途中で右側に傾ける変換手段を設ける必要がある。そして、引戸１が完全に開かれたときは爪部材８は左側に傾いた状態となっており、引戸１の閉じ始めにおいて爪部材８は当接部材１０に当接して緩衝作用により引戸１の動きを一時的に遅らせるディレード効果を発揮し、老人や身障者、車椅子の出入り口での通行が焦ることなく可能となる。
【００１５】
また、本実施の形態ではＶ字状の爪部材８を備えた両方向性ロータリーダンパー６と前記当接部材１０を引戸１の上端側に設けたが、下端側に設けることも可能である。また、Ｖ字状の爪部材８を備えた両方向性ロータリーダンパー６を上枠４もしくは下枠３側に取り付け、当接部材１０を引戸１の上端側もしくは下端側に取り付けるようにしても良い。なお、引戸１の上端に両方向性ロータリーダンパー６を取り付けた場合は爪部材８はＶ字状に向くが、引戸１の下端に両方向性ロータリーダンパー６を取り付けた場合は爪部材８は逆Ｖ字状に向くようになり、また下枠３側に両方向性ロータリーダンパー６を取り付けた場合は爪部材８はＶ字状に向くが、上枠４側に両方向性ロータリーダンパー６を取り付けた場合は爪部材８は逆Ｖ字状に向くようになる。
【００１６】
また、本実施の形態ではＶ字状の爪部材８を備えた両方向性ロータリーダンパー６を引戸１の戸先近傍上端側に設けるとともに出入り口２の縦枠５に近い位置での上枠４下面に前記当接部材１０を設けて、引戸１の戸先が出入り口２の縦枠５に急激に当たるのを防止できるようにしてあるが、前記と同様の当接部材１０を別に上枠４の長さ方向の中央部近傍に設けておくことによっても爪部材８が２箇所の当接部材１０に当接して引戸１の開閉時における衝撃緩和とディレード効果を持たせることができる。なお、この場合も、引戸１が開かれる際、出入り口２の縦枠５に近い位置での上枠４下面に設けた当接部材１０に当接して左側に傾いている爪部材８を途中で右側に傾ける変換手段を設ける必要がある。
【００１７】
以上のような要領で本引戸用緩衝装置は目的に応じて適宜配設位置を選択すれば良い。  さらに、両方向性ロータリーダンパー６の代わりに一方向性ロータリーダンパーを用いることも可能である。
【符号の説明】
【００１８】
１    引戸
２    出入り口
３    下枠
４    上枠
５    縦枠
６    両方向性ロータリーダンパー
７    回転軸
８    爪部材
９ａ，９ｂ    先端爪部
１０    当接部材
１５    縦枠
【図１】
0003166584.tif 000003
【図２】
0003166584.tif 000004
【図３】
0003166584.tif 000005
【図４】
0003166584.tif 000006
【図５】
0003166584.tif 000007